(57)【特許請求の範囲】
【請求項１】
複数の伝送装置を伝送路によりリング状に接続したリングネットワークに於いて、
前記複数の伝送装置は、クロスコネクト機能部と、前記伝送路による伝送フレームのセクションオーバーヘッドを用いて相互に通信する通信機能部とを含み、且つ前記複数の伝送装置の中の少なくともマスタとなる伝送装置は、全伝送装置のパス設定情報を収集して格納するパス管理データベースと、ＵＰＳＲ方式からＢＬＳＲ方式に切替えた時のロングパスの判定を行うパス判定部と、プロテクションチャネル上のパスを空きワークチャネルに張り替える判定及びパス張り替え要求を行う張替判定部とを含む構成を有する
ことを特徴とするリングネットワーク。
【請求項２】
前記パス判定部は、前記パス管理データベースに収集して格納した前記パス設定情報を基に削除すべきロングパスを判定すると共に、判定結果によるパス設定情報の削除要求を送出する手段を有し、前記張替判定部は、前記パス管理データベースに格納したパス設定情報を基にプロテクションチャネル上に設定されているパスを空きワークチャネルに張り替える判定及び張り替え要求を送出する手段を有することを特徴とする請求項１記載のリングネットワーク。
【請求項３】
複数の伝送装置を伝送路によりリング状に接続したリングネットワークのＵＰＳＲ方式の運用状態からＢＬＳＲ方式の運用状態に切替える為のパス張り替え方法に於いて、
前記複数の伝送装置の中の１台をマスタとし、該マスタの伝送装置にＵＰＳＲ方式からＢＬＳＲ方式へのアップデートのコマンドを投入し、該コマンドに従って前記マスタの伝送装置は、他の伝送装置のパス設定情報を収集してパス管理データベースに格納する過程と、
該パス管理データベースを参照してロングパスを判定し、該ロングパスのパス設定情報を削除し、且つ前記パス管理データベースを更新する過程と、
該パス管理データベースを参照してプロテクションチャネル上のパスを判定して、空きワークチャネルにパス張り替えを行い、且つ前記パス管理データベースを更新する過程と
を含むことを特徴とするパス張り替え方法。
【請求項４】
前記マスタの伝送装置は、他の伝送装置にＢＬＳＲアップデート要求メッセージを送信して、各伝送装置をＢＬＳＲアップデート要求状態に遷移させ、次にＢＬＳＲアップデート実行メッセージを送信して、各伝送装置をＢＬＳＲアップデート実行状態に遷移させ、次にパス情報要求メッセージを送信し、該パス情報要求メッセージに対して前記他の伝送装置はパス設定情報を含むパス情報応答メッセージを送信し、前記マスタの伝送装置は、受信したパス設定情報をパス管理データベースに格納する過程と、該パス管理データベースを参照してロングパスを判定して、該ロングパスのパス設定情報を削除するパス制御要求メッセージを送信し、該パス制御要求メッセージに対する応答メッセージを受信して前記パス管理データベースを更新する過程と、該パス管理データベースを参照してプロテクションチャネル上のパスを判定して、該パスを空きワークチャネルに張り替えるパス制御要求メッセージを送信し、該パス制御要求メッセージに対する応答メッセージを受信して前記パス管理データベースを更新し、且つ前記ＢＬＳＲアップデート実行状態を初期の状態に遷移させる過程とを含むことを特徴とする請求項３記載のパス張り替え方法。
【請求項５】
前記マスタの伝送装置と前記他の伝送装置との間の前記メッセージを、前記伝送路の伝送フレームのセクションオーバーヘッドを用いて伝送する過程を含むことを特徴とする請求項４記載のパス張り替え方法。
【発明の詳細な説明】
【０００１】
【発明の属する技術分野】
本発明は、複数の伝送装置をリング状の伝送路によって接続して、ＵＰＳＲ（Ｕni-directional  Ｐath Ｓwitched Ｒing ；単一方向パススイッチングリング）方式で運用している状態から、ＢＬＳＲ（Ｂidrectional Ｌine Ｓwitched Ｒing ；双方向ラインスイッチングリング）方式に、パス張り替えによって切替えるリングネットワーク及びパス張り替え方法に関する。
【０００２】
【従来の技術】
図１７はリングネットワークの説明図であり、伝送路１０２により複数の伝送装置１０１−１〜１０１−４をリング状に接続してリングネットワークを構成する。なお、４個の伝送装置１０１−１〜１０１−４を接続した場合を示すが、更に多数の伝送装置を接続する場合が一般的である。又各伝送装置１０１−１〜１０１−４には、単一或いは複数の低次群側伝送装置１０３−１〜１０３−ｎが接続されるか、又は低次群側伝送路が接続される。
【０００３】
伝送路１０２は光ファイバにより構成して、ＳＤＨ（Ｓynchronous  ＤigitalＨierarcy ）による光信号を伝送するものである。このようなリングネットワークに於いては、前述のＵＰＳＲ（単一方向スイッチングリング）方式と、ＢＬＳＲ（双方向ラインスイッチングリング）方式との運用形式がある。
【０００４】
ＵＰＳＲ方式は、図１７に於いて、例えば、伝送装置１０１−３，１０１−２間は、伝送装置１０１−３から右側方向のウエスト（Ｗｅｓｔ）パスと、左側方向のイースト（Ｅａｓｔ）パスとの何れか一方を現用側とし、他方を予備側として、同一のデータを同時に送出する。従って、受信側の伝送装置は、現用側のパスを介したデータを受信処理し、この現用側のパスの障害発生時には、予備側のパスに切替えてデータを受信処理することができる。
【０００５】
又ＢＬＳＲ方式は、図１７に於いて、伝送装置１０１−３，１０１−２間の伝送距離が最短となる方向のパスを現用（ワークチャネル）側のパスとする場合が一般的である。従って、伝送装置１０１−３，１０１−２間でパスを設定してデータを相互に伝送することになる。そして、この現用側のパスに障害が発生すると、予備（プロテクションチャネル）側のパスに相当する伝送装置１０１−１，１０１−４を介したパスに切替えて、データを伝送することになる。
【０００６】
リングネットワークに於けるＵＰＳＲ方式は、両方向のパスを現用，予備として使用するから、伝送路１０２の使用効率は５０％となる。これに対して、ＢＬＳＲ方式は、伝送装置が２台の場合は、ＵＰＳＲ方式と同様に、伝送路１０２の使用効率は５０％となるが、伝送装置の台数が多くなるに従って、伝送装置間の空きワークチャネルが多くなる傾向となるから、伝送路１０２の使用効率が高くなる。そこで、ＵＰＳＲ方式からＢＬＳＲ方式に切替えることが既に各種提案されている（例えば、特開平７−２１２３８１号公報，特開平９−２１４４３８号公報，特開平１０−３１３３３２号公報参照）。
【０００７】
又ＵＰＳＲ方式で運用しているリングネットワークの各伝送装置は、自伝送装置のパス設定情報を保持しているが、他の伝送装置のパス構成を認識していないものである。そこで、ＵＰＳＲ方式からＢＬＳＲ方式に切替える場合、オペレータが上位オペレーションシステム（Ｏｐｓ）によって、リング内の各伝送装置によるパス構成を把握し、上位オペレーションシステム（Ｏｐｓ）を介してリング内の各伝送装置に対してそれぞれコマンドを発行し、１パス毎に順次張り替えを行うものであった。
【０００８】
図１８は従来のパス張り替え処理のフローチャートを示し、先ず、リング（Ｒｉｎｇ）内の全伝送装置（Ｎｏｄｅ）のパス設定情報の読出しを行う（Ｄ１）。
そして、ＵＰＳＲ方式として設定されているパスについて、イースト（Ｅａｓｔ）周りとウエスト（Ｗｅｓｔ）周りとの何れのパスがロングパスかを決定する（Ｄ２）。
【０００９】
次に、ＵＰＳＲ方式として設定されているパスの中のロングパスをパス設定情報の中から削除する（Ｄ３）。例えば、図１７に於いて、伝送装置１０１−３，１０１−２間については、パス設定情報の中の伝送装置１０１−４側、即ち、イーストパスがロングパスとなるから、このパス設定情報を削除する。そして、リング（Ｒｉｎｇ）内の総てのロングパスとなるパス設定情報を削除したか否かを判定し（Ｄ４）、この削除が終了していない場合は、ステップ（Ｄ２）に移行し、終了した場合は、ステップ（Ｄ５）に移行する。
【００１０】
このステップ（Ｄ５）に於いては、ＢＬＳＲ方式としてのプロテクションチャネル上にパスが存在するか否かを判定する。即ち、ＢＬＳＲ方式に切替えた時のプロテクションチャネルに対して、ＵＰＳＲ方式運用時に設定したパスが存在するか否かを判定する。存在しない場合は終了とし、存在する場合は、プロテクションチャネルの張り替えの為に使用する空きワークチャネルを決定する（Ｄ６）。このプロテクションチャネル上に存在するパスの空きワークチャネルへの張り替えを行い（Ｄ７）、ステップ（Ｄ５）に移行する。このような全伝送装置のパス設定情報の収集や、パスの張り替えについては、前述のように、オペレータによる上位オペレーションシステム（Ｏｐｓ）からのコマンドに従って順次１パス毎に行うものである。
【００１１】
【発明が解決しようとする課題】
リングネットワークに於けるＵＰＳＲ方式からＢＬＳＲ方式への切替えは、伝送装置内のＵＰＳＲ方式に対応した機能部分と、ＢＬＳＲ方式に対応した機能部分とを切替えるスイッチを設けて、このスイッチ等の操作によって切替える構成や、ＵＰＳＲ方式の予備側の機能部分をＢＬＳＲ方式の予備側の機能部分に交換し、次にこの予備側を現用側として運用し、その運用中に、現用側の機能部分の交換を行うことにより切替える手段等が従来例として知られているが、余分な構成を付加したり、又は機能部分の交換接続処理を行うことから、作業量が多くなると共に切替えに要する時間が長くなる問題がある。
【００１２】
そこで、前述のように、上位オペレーションシステム（Ｏｐｓ）によるＵＰＳＲ方式からＢＬＳＲ方式への切替えを実行することが考えられるが、オペレータが介在して、１パス毎に条件を判定しながら張り替えを行うことになり、処理時間が非常に長くなる問題がある。又このようなパス張り替え処理の過程に於ける障害発生には対処でなきない問題がある。
本発明は、処理量が少なくて済むと共に障害発生にも対応可能で、且つオペレータの負担を軽減することを目的とする。
【００１３】
【課題を解決するための手段】
本発明のリングネットワークは、図１を参照して説明すると、複数の伝送装置ＮＥ１〜ＮＥ４を伝送路によりリング状に接続したリングネットワークであって、複数の伝送装置ＮＥ１〜ＮＥ４は、クロスコネクト機能部と、前記伝送路による伝送フレームのオーバーヘッドを用いて相互に通信する通信機能部とを含み、且つ複数の伝送装置ＮＥ１〜ＮＥ４の中の少なくともマスタとなる伝送装置、例えば、伝送装置ＮＥ１は、全伝送装置のパス設定情報を収集して格納するパス管理データベースと、ＵＰＳＲ方式からＢＬＳＲ方式に切替えた時のロングパスの判定を行うパス判定部と、プロテクションチャネル上のパスを空きワークチャネルに張り替える判定及びパス張り替え要求を行う張替判定部とを含む構成を有する。そして、伝送装置のパス判定部は、パス管理データベースに格納したパス設定情報を基に削除すべきロングパスを判定すると共に、判定結果によるパス設定情報の削除要求を送出する手段を有し、又張替判定部は、パス管理データベースに格納したパス設定情報を基にプロテクションチャネル上に設定されているパスを空きワークチャネルに張り替える判定及び張り替え要求を送出する手段を有するものである。
【００１４】
又本発明のパス張り替え方法は、複数の伝送装置を伝送路によりリング状に接続したリングネットワークのＵＰＳＲ方式の運用状態からＢＬＳＲ方式の運用状態に切替える為のパス張り替え方法であって、複数の伝送装置の中の１台をマスタとし、該マスタの伝送装置にＵＰＳＲ方式からＢＬＳＲ方式へのアップデートのコマンドを投入し、このコマンドに従ってマスタの伝送装置は、他の伝送装置のパス設定情報を収集してパス管理データベースに格納する過程と、このパス管理データベースを参照してロングパスを判定し、このロングパスのパス設定情報を削除し、且つパス管理データベースを更新する過程と、このパス管理データベースを参照してプロテクションチャネル上のパスを判定して、空きワークチャネルにパス張り替えを行い、且つパス管理データベースを更新する過程とを含むものである。
【００１５】
又マスタの伝送装置は、他の伝送装置にＢＬＳＲアップデート要求メッセージを送信して、各伝送装置をＢＬＳＲアップデート要求状態に遷移させ、次にＢＬＳＲアップデート実行メッセージを送信して、各伝送装置をＢＬＳＲアップデート実行状態に遷移させ、次にパス情報要求メッセージを送信し、該パス情報要求メッセージに対して前記他の伝送装置はパス設定情報を含むパス情報応答メッセージを送信し、マスタの伝送装置は、受信したパス設定情報をパス管理データベースに格納する過程と、このパス管理データベースを参照してロングパスを判定し、このロングパスのパス設定情報を削除するパス制御要求メッセージを送信し、このパス制御要求メッセージに対する応答メッセージを受信して、パス管理データベースを更新する過程と、このパス管理データベースを参照してプロテクションチャネル上のパスを判定して、このパスを空きワークチャネルに張り替えるパス制御要求メッセージを送信し、このパス制御要求メッセージに対する応答メッセージを受信してパス管理データベースを更新し、且つＢＬＳＲアップデータ実行状態を初期の状態に遷移させる過程とを含むものである。又マスタの伝送装置と他の伝送装置との間のメッセージを、伝送路の伝送フレームのオーバーヘッドを用いて伝送する過程を含むものである。
【００１６】
【発明の実施の形態】
図１は本発明の実施の形態の説明図であり、伝送装置ＮＥ１〜ＮＥ４を伝送路によりリング状に接続したリングネットワークにより、ＵＰＳＲ方式で運用している状態に於いて、伝送装置ＮＥ１から伝送装置ＮＥ２に対するアド（ＡＤＤ）パスのデータは、鎖線矢印で示すように、イースト（Ｅａｓｔ）パスとウエスト（Ｗｅｓｔ）パスとに送出される。その場合、伝送装置ＮＥ３，ＮＥ４は、スルー（ＴＨＲＵ）パスを設定し、伝送装置ＮＥ２はドロップ（ＤＲＯＰ）パスを設定している。各伝送装置ＮＥ１〜ＮＥ４は、自伝送装置に於けるパスの設定情報を保持している。
【００１７】
そして、ＵＰＳＲ方式からＢＬＳＲ方式に切替える場合、例えば、伝送装置ＮＥ１をマスタとすると、この伝送装置ＮＥ１にＵＰＳＲ方式からＢＬＳＲ方式に切替えるコマンドを投入する。それにより、マスタの伝送装置ＮＥ１は、パス設定情報を収集する為の問い合わせメッセージをイーストパスとウエストパスとに送出する。
【００１８】
これに対して、ドロップパスの伝送装置ＮＥ２からの応答メッセージと、スルーパスの伝送装置ＮＥ３，ＮＥ４からの応答メッセージとを伝送装置ＮＥ１は受信する。この場合の問い合わせメッセージ及び応答メッセージは、ＳＤＨフレームのセクションオーバーヘッド（以下「オーバーヘッド」と略称する）の例えばＫ１，Ｋ２バイトを用いて伝送することができる。又各伝送装置ＮＥ１〜ＮＥ４は、ＳＤＨフレームのオーバーヘッドの終端処理機能を有するものであるから、このオーバーヘッドを利用して各種のメッセージの送受信が可能である。従って、応答メッセージにより他の伝送装置のパス設定情報を容易に収集することができる。
【００１９】
図２は本発明の実施の形態の伝送装置の説明図であり、１は伝送装置、２はクロスコネクト機能部、３，４は高速インタフェース部（ＩＦ）、５は低速インタフェース部（ＩＦ）、６は通信機能部、７はパス管理データベース（ＤＢ）、８はパス判定部、９は張替判定部である。
【００２０】
クロスコネクト機能部２は、パス設定情報に従ってパス設定制御を行う制御機能部分（図示を省略）を含むもので、その制御機能部分のメモリにパス設定情報を保持し、保守コンソール等からのパス設定コマンド等により、メモリに保持したパス設定情報の更新等を行うものである。又高速インタフェース部３，４は、伝送装置１間を接続する伝送路を収容するもので、ＳＤＨ伝送方式に於いては、光信号として伝送する場合が一般的であるから、光ファイバからなる伝送路により接続することになり、クロスコネクト機能部２が光信号のままクロスコネクト処理を行う構成でない場合は、光電変換部を含む構成とする。なお、クロスコネクト機能部２が光信号の状態でクロスコネクトを行う場合は、光電変換部を省略することができる。又低速インタフェース部５は、低次群側伝送装置や低次群側伝送路を接続するものである。
【００２１】
又通信機能部６は、伝送装置間でＳＤＨフレームのオーバーヘッドを用いて通信する機能を有する。前述の各構成は、リングネットワークの全伝送装置が少なくとも備えている構成である。又マスタの伝送装置は、更に、パス管理データベース７と、パス判定部８と、張替判定部９とを含む構成を有するものであり、パス管理データベース７は、ＵＰＳＲ方式からＢＬＳＲ方式に切替える時に、マスタの伝送装置が他の伝送装置のパス設定情報を応答メッセージを用いて収集して格納するものである。又パス判定部８は、ＵＰＳＲ方式からＢＬＳＲ方式に切替える時のロングパスの判定と、そのロングパスのパス設定情報の削除要求を行う機能を備えている。又張替判定部９とは、ＵＰＳＲ方式からＢＬＳＲ方式に切替える時のプロテクションチャネル上のパスを空きワークチャネルに張り替える機能を備えている。
【００２２】
図３はパス管理データベースの説明図であり、マスタの伝送装置のパス管理データベース７（図２参照）に格納した伝送装置ＮＥ１〜ＮＥ４（図１参照）対応のパス設定情報の一例を示す。Ｆｒｏｍは受信側のチャネル、Ｔｏは送信側のチャネルを示し、例えば、伝送装置ＮＥ１のＦｒｏｍのＬ−１ｃｈとＴｏのＨＥ−１ｃｈは、低次群Ｌの１チャネル（１ｃｈ）を、高次群のイーストパスの１チャネル（１ｃｈ）として送出することを示し、回線速度のＶＣ３は、ＳＤＨの５０ＭｂｐｓのバーチャルコンテナＶＣ３を示す。この場合、低次群の１チャネルをアド（ＡＤＤ）する場合に相当する。又ＦｒｏｍのＨＥ−１３ｃｈとＴｏのＨＷ−１３ｃｈとは、高次群のイーストパスの１３チャネル（１３ｃｈ）を、高次群のウエストパスの１３チャネル（１３ｃｈ）に送出することを示し、スルーパスを設定している状態を示す。
【００２３】
又伝送装置ＮＥ２のＦｒｏｍのＨＥ−１ｃｈとＴｏのＬ−１ｃｈとにより、高次群のイーストパスの１チャネルを、低次群の１チャネルとして送出することを示し、伝送装置ＮＥ１から高次群として多重化された低次群の１チャネル（１ｃｈ）をドロップする場合のパス設定情報を示す。
【００２４】
図４は、ＵＰＳＲ方式で運用している状態で、前述のように、各伝送装置から収集したパス設定情報を、図３に示すパス管理データベースに格納した場合のリングネットワークに於ける関連を示すものであり、ＮＥ１〜ＮＥ４は伝送装置、Ｃｈ１，Ｃｈ１３，Ｃｈ４８は、それぞれパス設定情報のチャネル１ｃｈ，１３ｃｈ，４８ｃｈに相当する。即ち、伝送装置ＮＥ１に於いてアド（ＡＤＤ）した１チャネル（１ｃｈ）は、イーストパスとウエストパスとに送出されて、伝送装置ＮＥ２に於いてドロップ（ＤＲＯＰ）される。又伝送装置ＮＥ２に於いてアド（ＡＤＤ）した１３チャネル（１３ｃｈ）は、伝送装置ＮＥ４に於いてドロップ（ＤＲＯＰ）される。又伝送装置ＮＥ４に於いてアド（ＡＤＤ）した４８チャネル（４８ｃｈ）は、伝送装置ＮＥ３に於いてドロップ（ＤＲＯＰ）される。又この伝送装置ＮＥ３は、高次群の１チャネル（１ｃｈ）と１３チャネル（１３ｃｈ）とについてはスルーパスを設定している。
【００２５】
図５は本発明の実施の形態のパス設定情報収集処理のフローチャートを示し、オペレータからのコマンド投入によりマスタとなった伝送装置は、自ＮＥ（自伝送装置）のパス設定情報を読出し（Ａ１）、パス管理ＤＢへｗｒｉｔｅ（Ａ２）、即ち、パス管理データベース７へパス設定情報を書込む。そして、Ｒｉｎｇ内の他ＮＥ（伝送装置）へパス設定情報要求メッセージを送信する（Ａ３）。他の伝送装置ＮＥ２〜ＮＥ４は、このパス設定情報要求メッセージに対して、パス設定情報応答メッセージを送信するから、マスタの伝送装置ＮＥ１は、これを受信し（Ａ４）、パス管理ＤＢへｗｒｉｔｅ（Ａ５）、即ち、収集したパス設定情報をパス管理データベースに書込む。
【００２６】
そして、全ＮＥ検査完了か否かを判定する（Ａ６）。即ち、リングネットワークの全伝送装置ＮＥ１〜ＮＥ４のパス設定情報を収集したか否かを判定し、完了していない場合はステップ（Ａ３）に移行する。又完了すると、パス管理データベース７には、例えば、図３に示すように、各伝送装置ＮＥ１〜ＮＥ４のパス設定情報が格納される。前述の各メッセージは、通信機能部６の機能によって、伝送路の伝送フレーム、即ち、ＳＤＨフレームのオーバーヘッドを用いて伝送される。
【００２７】
図６は本発明の実施の形態のパス張り替え処理のフローチャートを示し、前述のパス管理データベース７の内容を参照して、パス判定部８に於いてイースト（Ｅａｓｔ）パスとウエスト（Ｗｅｓｔ）パスとに於けるＴＨＲＵ  ＮＥ数、即ち、スルーパスを設定している伝送装置の数を比較する（Ｂ１）。そして、Ｅａｓｔパス側が少（Ｂ２）、即ち、イーストパス側に於けるスルーパス設定の伝送装置の数が少ないか否かを判定する。
【００２８】
このスルーパス設定の伝送装置の数について、ウエストパス側とイーストパス側とが同数の場合、Ｗｅｓｔパス優先か否かを判定する（Ｂ３）。即ち、ＵＰＳＲ方式からＢＬＳＲ方式への切替えを行う時に、予め優先パスを設定しておくもので、ウエストパスを優先設定した場合は、ステップ（Ｂ５）に移行し、イーストパスを優先設定した場合は、ステップ（Ｂ４）に移行する。
【００２９】
又イーストパス側が少ない場合は、ＷｅｓｔパスのＤＲＯＰ  ＮＥへ削除指示メッセージを送信（Ｂ４）、即ち、ウエストパスのドロップパス設定を行っている伝送装置に対して、そのパス設定情報の削除を指示する。これは、パス判定部８の判定結果を通信機能部６に伝えて、パス設定情報の削除要求メッセージを、ＳＤＨフレームのオーバーヘッドを用いて送信させる。
【００３０】
そして、パス判定部８は、ＴＨＲＵ  ＮＥ  無しか否かを判定する（Ｂ６）。
即ち、スルーパス設定の伝送装置が存在するか否かを判定し、存在しない場合はステップ（Ｂ１０）に移行し、存在する場合は、ＷｅｓｔパスのＴＨＲＵ  ＮＥへ解除指示メッセージを送信（Ｂ７）、即ち、ウエストパスのスルーパス設定の伝送装置へそのパス設定情報の削除指示メッセージを送信し、ステップ（Ｂ６）に移行する。
【００３１】
又ステップ（Ｂ２）に於いて、イーストパス側の伝送装置数がウエストパス側の伝送装置数より多い場合は、ＥａｓｔパスのＤＲＯＰ  ＮＥへ削除指示メッセージを送信（Ｂ５）、即ち、イーストパスのドロップパス設定を行っている伝送装置に対して、そのパス設定情報の削除を指示する。そして、ＴＨＲＵ  ＮＥ  無しか否かを判定する（Ｂ８）。即ち、スルーパス設定の伝送装置が存在するか否かを判定し、存在しない場合はステップ（Ｂ１０）に移行し、存在する場合は、ＥａｓｔパスのＴＨＲＵ  ＮＥへ解除指示メッセージを送信（Ｂ９）、即ち、イーストパスのスルーパス設定の伝送装置へそのパス設定情報の削除指示メッセージを送信し、ステップ（Ｂ８）に移行する。
【００３２】
ステップ（Ｂ１０）に於いては、自ＮＥのＡＤＤパスの解除を実行する。即ち、アドパスの設定情報を削除する。そして、全パスについて完了したか否かを判定し（Ｂ１１）、完了していない場合は、ステップ（Ｂ１）に移行し、完了している場合は、パス張り替え処理過程の削除処理が終了する。
【００３３】
図７及び図８は本発明の実施の形態のプロテクションチャネル張り替え処理のフローチャートを示し、２．４Ｇｂｐｓ（ＳＤＨのＳＴＭ−１６又はＳＯＮＥＴのＯＣ−４８に相当）の高次群に対して、５０Ｍｂｓｐ（ＳＤＨのバーチャルコンテナＶＣ３又はＳＯＮＥＴのＯＣ−１に相当）の低次群を単位チャネルとした例について示す。先ず、張替判定部９に於いてパス管理データベース７を参照して、パスのチャネル番号を確認し（Ｃ１）、２４より大きい値か否かを判定する（Ｃ２）。即ち、チャネル番号は１〜４８の４８チャネル分のパス設定が可能であるから、その半分の２４チャネル分に対するチャネル番号について判定するもので、２４以下の場合は、ステップ（Ｃ１２）に移行し、大きい場合は、ワークチャネルの空きを検索し（Ｃ３）、元のパスのドロップ設定の伝送装置に空きチャネルのドロップ指示メッセージを、前述のメッセージ送信と同様に、通信機能部６の機能によってＳＤＨフレームのオーバーヘッドを用いて送信する（Ｃ４）。
【００３４】
そして、ＴＨＲＵ  ＮＥ無し、即ち、スルーパス設定の伝送装置の有無を判定し（Ｃ５）、無しの場合はステップ（Ｃ７）に移行し、有りの場合は、元のパスのスルーパス設定の伝送装置へ空きチャネルのＴＨＲＵメッセージを送信し（Ｃ６）、ステップ（Ｃ５）に移行する。ステップ（Ｃ７）に於いては、自伝送装置の元のパスに空きチャネルのＢＲＩＤＧＥ（ブリッジ）を実行し、元のパスのドロップ設定の伝送装置へ解除指示メッセージを送信する（Ｃ８）。
【００３５】
そして、スルーパス設定の伝送装置の有無を判定し（Ｃ９）、無しの場合は、ステップ（Ｃ１１）に移行し、有りの場合は、元のパスのスルーパス設定の伝送装置へ削除指示メッセージを送信し（Ｃ１０）、ステップ（Ｃ９）に移行する。
又ステップ（Ｃ１１）に於いては、自伝送装置の元のパスの削除を実行し、全パス完了か否かを判定し（Ｃ１２）、完了していない場合は、ステップ（Ｃ１）に移行する。
【００３６】
前述のリングネットワークのＵＰＳＲ方式の運用状態から、ＢＬＳＲ方式に切替える過程に、伝送装置は、初期のＩＤＬＥ状態と、ＢＬＳＲアップデート要求状態と、ＢＬＳＲアップデート実行状態との状態の遷移を行うものであり、ＢＬＳＲアップデート要求状態は、ＢＬＳＲアップデートコマンドを、オペレータ等から入力された伝送装置又は隣接する伝送装置から転送されて受信した伝送装置の状態であり、ＢＬＳＲアップデータが実行可能か否かをチェックしている状態である。又ＢＬＳＲアップデート実行状態は、パス設定情報の収集、ロングパス削除、プロテクションチャネルとワークチャネルとの張り替え処理等を行う状態である。ＩＤＬＥ状態以外の他の状態に於いては、外部からのコマンドによる伝送装置への設定を禁止する。
【００３７】
図９はメッセージの説明図であり、（Ａ）はメッセージフォーマット、（Ｂ）はメッセージ種別を示し、（Ａ）に示すメッセージメンバとしては、メッセージの種別を示すメッセージタイプと、メッセージを送信したＮＥ（伝送装置）のＩＤを示す送信ノードＩＤと、メッセージの宛先ＮＥ（伝送装置）のＩＤを示す受信ノードＩＤと、メッセージタイプにより内容が異なるメッセージデータとを含むものである。
【００３８】
又図９の（Ａ）のメッセージタイプとメッセージデータとは、（Ｂ）に示す関係とする。メッセージタイプとしては、ＢＬＳＲ  Ｕｐｄａｔｅ要求、ＢＬＳＲＵｐｄａｔｅ実行、ＢＬＳＲ  Ｕｐｄａｔｅ完了、応答、パス情報要求、パス情報応答、パス制御要求を含む。又メッセージタイプに対応したメッセージデータは、例えば、ＢＬＳＲ  Ｕｐｄａｔｅ要求のメッセージタイプの時は、ノードＩＤを付加し、応答のメッセージタイプは、ＯＫ又はＮＧをメッセージデータとして付加することを示している。
【００３９】
図１０はＵＰＳＲ方式で運用中のリングネットワークの伝送装置ＮＥ１〜ＮＥ４の中の伝送装置ＮＥ１に、オペレータ又は上位オペレーションシステム（Ｏｐｓ）からＢＬＳＲアップデートコマンドを入力した場合を示し、伝送装置ＮＥ１〜ＮＥ４は、それぞれノードＩＤとして、ＩＤ１〜ＩＤ４が付与されている。伝送装置ＮＥ１は、メッセージタイプをＢＬＳＲ  Ｕｐｄａｔｅ要求とし、送信ノードＩＤ＝ＩＤ１、受信ノードＩＤ＝ＩＤ２としたＢＬＳＲアップデート要求メッセージを、通信機能部６の機能によってＳＤＨフレームのオーバーヘッドを用いて送信する。
【００４０】
伝送装置ＮＥ２は、受信ノードＩＤ＝ＩＤ２により、このＢＬＳＲアップデート要求メッセージを受信し、受信ノードＩＤを＋１したＢＬＳＲアップデート要求メッセージを送信する。伝送装置ＮＥ３は、受信ノードＩＤ＝ＩＤ３により、このＢＬＳＲアップデート要求メッセージを受信し、受信ノードＩＤを＋１したＢＬＳＲアップデート要求メッセージを送信する。伝送装置ＮＥ４は、受信ノードＩＤ＝ＩＤ４により、このＢＬＳＲアップデート要求メッセージを受信し、受信ノードＩＤを＋１したＢＬＳＲアップデート要求メッセージを送信する。この受信ノードＩＤ＝ＩＤ５のＢＬＳＲアップデート要求メッセージを受信した伝送装置ＮＥ１は、自伝送装置のＩＤ１に対して受信ノードＩＤ＝ＩＤ５であり、ＩＤ１＜ＩＤ５の関係により、リングネットワークの全伝送装置にＢＬＳＲアップデート要求メッセージが伝送されたことを認識することができる。
【００４１】
このＢＬＳＲアップデート要求メッセージを受信した各伝送装置ＮＥ１〜ＮＥ４は、ＩＤＬＥ→ＢＬＳＲアップデート要求として示すように、ＵＰＳＲ方式により運用し、ＢＬＳＲアップデートが要求されていない初期のアイドル状態からＢＬＳＲアップデート要求の状態に遷移する。
【００４２】
次に、図１１の（Ａ）に示すように、伝送装置ＮＥ１から各伝送装置ＮＥ２〜ＮＥ４にＢＬＳＲアップデート実行メッセージを送信する。その時、送：ＩＤ１は送信ノードＩＤを示し、受：ＩＤ２〜ＩＤ４は受信ノードＩＤを示す。即ち、マスタの伝送装置ＮＥ１は、他の伝送装置ＮＥ２〜ＮＥ４を、それぞれ受信ノードＩＤにより指定し、自伝送装置ＮＥ１のＩＤを送信ノードＩＤとしたＢＬＳＲアップデート実行メッセージを送信する。各伝送装置は、ＢＬＳＲアップデート要求の状態からＢＬＳＲアップデート実行の状態に遷移する。
【００４３】
ＢＬＳＲアップデート実行メッセージを受信した伝送装置ＮＥ２〜ＮＥ４は、図１１の（Ｂ）に示すように、それぞれ自伝送装置のＩＤを送信ノードＩＤとして付加した応答メッセージをマスタの伝送装置ＮＥ１宛に送信する。
【００４４】
次に、図１２の（Ａ）に示すように、マスタの伝送装置ＮＥ１からパス情報要求メッセージを他の伝送装置ＮＥ２〜ＮＥ４を指定してそれぞれ送信する。このパス情報要求メッセージを受信した伝送装置ＮＥ２〜ＮＥ４は、図１２の（Ｂ）に示すように、自伝送装置のＩＤを付加し、パス設定データ（Ｆｒｏｍ／Ｔｏ，回線速度）として示すパス設定情報をパス情報応答メッセージによって、マスタの伝送装置ＮＥ１に送信する。伝送装置ＮＥ１は、収集したパス設定情報をパス管理データベース（ＤＢ）に格納する。それによって、例えば、図３に示すパス管理データベースを構築することができる。
【００４５】
図１３及び図１４は、前述のＢＬＳＲアップデート実行の状態に移行してパス張り替えを行う過程のパス管理データベースの内容を▲１▼〜▲５▼の順序で示すものである。このパス管理データベースの▲１▼は、図３に示す内容と同一で、図５のフローチャートのステップ（Ａ４）及び図１２の（Ｂ）の動作に於けるパス情報応答メッセージにより収集したＵＰＳＲ方式による運用中のパス設定情報を示す。
【００４６】
そして、図６に示すステップに従って、ロングパスの検出，削除を行う。即ち、パス判定部８の機能により、伝送装置ＮＥ１〜ＮＥ４の順に検索し、アド（ＡＤＤ）されているパスが検出された場合、イーストパスかウエストパスかの何れがロングパスかを判定する。例えば、伝送装置ＮＥ１は、低次群１チャネル（１ｃｈ）がアド（ＡＤＤ）されており、このパスは、イースト方向では、ＮＥ１→ＮＥ２（ＤＲＯＰ）、ウエスト方向では、ＮＥ１→ＮＥ４→ＮＥ３→ＮＥ２となる。従って、ウエストパスがロングパスとなる。従って、パス管理データベース上では、図１３の▲２▼に於ける白黒反転表示のパス設定情報がロングパスを形成していることになる。
【００４７】
そこで、伝送装置ＮＥ１からロングパス削除要求をパス制御要求メッセージによって送信する。図１５は、伝送装置ＮＥ１から伝送装置ＮＥ３に、送信ノードＩＤ＝ＩＤ１、受信ノードＩＤ＝ＩＤ３、ＨＥ−１ｃｈ→ＨＷ−１ｃｈ  ＶＣ３削除のパス制御要求メッセージを送信する。それにより、伝送装置ＮＥ３は、パス制御を実行し、送信ノードＩＤ＝ＩＤ３、受信ノードＩＤ＝ＩＤ１の応答メッセージを送信する。
【００４８】
具体的には、ドロップ（ＤＲＯＰ）側の伝送装置から順に削除するもので、パス設定情報のＦｒｏｍ→Ｔｏの関係として示すと、図１３の▲１▼について、伝送装置ＮＥ２のＨＥ−１ｃｈ→Ｌ−１ｃｈを削除し、次に伝送装置ＮＥ３のＨＥ−１ｃｈ→ＨＷ−１ｃｈを削除し、次に伝送装置ＮＥ４のＨＥ−１ｃｈ→ＨＷ−１ｃｈを削除し、伝送装置ＮＥ１のＬ−１ｃｈ→ＨＷ−１ｃｈを削除する。即ち、図１３の▲２▼の白黒反転表示のパス設定情報を削除する。
【００４９】
前述のロングパスを削除した状態を図１４の▲３▼として示す。そして、再びロングパスを判定する。この場合、伝送装置ＮＥ２からアド（ＡＤＤ）された低次群のＬ−１３ｃｈについてみると、イーストパスは、ＮＥ２（ＡＤＤ）→ＮＥ３→ＮＥ４（ＤＲＯＰ）、ウエストパスは、ＮＥ２（ＡＤＤ）→ＮＥ１→ＮＥ４（ＤＲＯＰ）となり、伝送装置数は同一となる。このように、イーストパスの伝送装置数とウエストパスの伝送装置数とが同一の場合に、前述のように予め優先順位を定めておくもので、例えば、イーストパスを優先させる場合、ウエストパスについて、伝送装置ＮＥ４のＨＥ−１３ｃｈ→Ｌ−１３ｃｈを削除し、次に、伝送装置ＮＥ１のＨＥ−１３ｃｈ→ＨＷ−１３ｃｈを削除し、次に、伝送装置ＮＥ２のＨＥ−１３ｃｈ→ＨＷ−１３ｃｈを削除する。即ち、図１４の▲３▼の白黒反転表示のパス設定情報を削除する。
【００５０】
次に、プロテクションチャネル張り替え処理を開始する。即ち、張替判定部９は、パス管理データベース７について、伝送装置ＮＥ１〜ＮＥ４の順に検索し、アド（ＡＤＤ）されているパスが検出された場合、そのパスがプロテクションチャネル（２５ｃｈ〜４８ｃｈ）上に設定されているか否かを判定する。設定されている場合は、空きワークチャネル（１ｃｈ〜２４ｃｈ）を検索して張り替えを行う。
【００５１】
図１４の▲３▼に於ける白黒反転表示のパス設定情報を削除して、パス管理データベースを更新し、そのパス設定情報を基に、前述のプテクションチャネル上に設定された状態が残っているか否かを判定するもので、例えば、伝送装置ＮＥ４→ＮＥ３の４８チャネル（４８ｃｈ）は、プロテクションチャネル上に存在していることになる。そこで、伝送装置ＮＥ３，ＮＥ４間の空きワークチャネル（１ｃｈ〜２４ｃｈ）を若番のチャネルから検索する。この場合、１チャネル（１ｃｈ）が使用されていないので、４８ｃｈ→１ｃｈの張り替えを行う。その為、伝送装置ＮＥ１からパス制御要求メッセージを送信し、ＨＷ−１ｃｈへのブリッジ要求を行う。
【００５２】
それにより、伝送装置ＮＥ４は、Ｌ−４８ｃｈ→ＨＷ−１ｃｈのブリッジを行う。その後、伝送装置ＮＥ３に、ＨＥ−４８ｃｈ→ＨＥ−１ｃｈへのスイッチ要求を送出する。伝送装置ＮＥ３は、ＨＥ−４８ｃｈ→Ｌ−４８ｃｈを、ＨＥ−１ｃｈ→Ｌ−４８ｃｈに切替える。そして、最後に不要となったパス設定情報を削除する。又伝送装置ＮＥ１，ＮＥ２間にもプロテクションチャネル上に残っているパスが存在するから、前述のように、パス張り替え及び削除を行う。その結果、図１４の▲５▼に示すパス設定情報となる。
【００５３】
なお、前述の伝送装置ＮＥ４→ＮＥ３の間に空きワークチャネルが存在し、この空きワークチャネルにプロテクションチャネル上のチャネルを切替える場合を示すが、その時、空きワークチャネルが存在しない場合、逆方向のＮＥ４→ＮＥ１→ＮＥ２→ＮＥ３方向の空きワークチャネルを、若番のチャネルから検索し、空きワークチャネルが検出された場合は、ＮＥ４→ＮＥ１→ＮＥ２→ＮＥ３方向のワークチャネルにパスを張り替えることになる。
【００５４】
総てのプロテクションチャネルの張り替えが終了すると、伝送装置ＮＥ１はＢＬＳＲアップデート状態をアイドル状態に戻し、ＢＬＳＲ  Ｕｐｄａｔｅ完了メッセージを他の伝送装置ＮＥ２〜ＮＥ４に送信する。伝送装置ＮＥ２〜ＮＥ４も、ＢＬＳＲアップデート状態をアイドル状態に戻す。これによって、ＢＬＳＲ方式で運用できることになる。
【００５５】
即ち、図１６の（Ａ）に示すように、伝送装置ＮＥ１から、それぞれ送信ノードＩＤと受信ノードＩＤとを付加したＢＬＳＲアップデート完了メッセージを伝送装置ＮＥ２〜ＮＥ４に送信する。それによって、各伝送装置ＮＥ１〜ＮＥ４は、図１１に於いて遷移したＢＬＳＲアップデート実行状態から図１０に於ける最初の状態のＩＤＬＥ状態に遷移する。そして、図１６の（Ｂ）に示すように、伝送装置ＮＥ１は、他の伝送装置ＮＥ２〜ＮＥ４からのＯＫのメッセージを含む応答メッセージを受信すると、ＢＬＳＲアップデートの完了をユーザ（オペレータ）に通知する。
【００５６】
前述のように、リングネットワークに於けるＵＰＳＲ方式の運用状態からＢＬＳＲ方式の運用状態に切替える過程に於いて、マスタの伝送装置によりパス張り替えを含む処理を実行できるものであり、又本発明は、前述の実施の形態のみに限定されるものではなく、リングネットワークの伝送装置の数等に対応して種々付加変更することが可能である。
【００５７】
【発明の効果】
以上説明したように、本発明は、複数の伝送装置を伝送路によってリング状に接続したリングネットワークに於けるＵＰＳＲ方式の運用状態からＢＬＳＲ方式の運用状態に切替える手順を、コマンドを投入してマスタとした伝送装置によって順次実行させるものであり、オペレータの負担は著しく軽減され、且つ切替えに要する時間を短縮することができる。又マスタの伝送装置からのパス情報要求メッセージに従って、各伝送装置のパス設定情報をマスタの伝送装置に応答メッセージとして送信し、収集したパス設定情報をパス管理データベース７に格納するものであるから、各伝送装置の最新のパス設定情報を収集することができるから、パス張り替え等の処理を実際のパス設定の状態を認識して実行できる利点がある。なお、上位オペレーションシステム（Ｏｐｓ）等の上位のネットワーク監視装置等によるネットワークのパス設定情報をダウンロードすることも考えられるが、ダウンロードする時間が比較的長く、且つ最新のパス設定情報であるとは限らないが、本発明によれば、最新のパス設定情報を収集することかできる。
【００５８】
又その切替えの過程に於いてデータ伝送を継続させ、ロングパスの削除やプロテクションチャネル上のパスを空きワークチャネルへの張り替え等を実行する過程のパスの冗長無しとなる期間を短縮することができる。従って、切替えの過程に於けるリングネットワークの信頼性を維持することができる。又伝送路の伝送フレームのオーバーヘッドを用いて要求メッセージや応答メッセージを伝送するから、伝送装置に於ける処理負担の増加がなく、且つ切替えの手順に従って、ロングパスのパス設定情報の削除や、プロテクションチャネル上に残ったパスを空きワークチャネルに張り替える処理を、オペレータの判断処理等を用いることなく、順次実行できる利点がある。
【図面の簡単な説明】
【図１】本発明の実施の形態の説明図である。
【図２】本発明の実施の形態の伝送装置の説明図である。
【図３】パス管理データベースの説明図である。
【図４】パス設定情報との関連説明図である。
【図５】本発明の実施の形態のパス設定情報収集処理のフローチャートである。
【図６】本発明の実施の形態のパス張り替え処理のフローチャートである。
【図７】本発明の実施の形態のプロテクションチャネル張り替え処理のフローチャートである。
【図８】本発明の実施の形態のプロテクションチャネル張り替え処理のフローチャートである。
【図９】メッセージの説明図である。
【図１０】ＢＬＳＲアップデートコマンド実行の説明図である。
【図１１】ＢＬＳＲアップデートコマンド実行状態の説明図である。
【図１２】パス設定情報収集の説明図である。
【図１３】パス管理データベースを基にした処理過程の説明図である。
【図１４】パス管理データベースを基にした処理過程の説明図である。
【図１５】パス制御要求メッセージ送信の説明図である。
【図１６】アップデート完了メッセージ送信の説明図である。
【図１７】リングネットワークの説明図である。
【図１８】従来のパス張り替え処理のフローチャートである。
【符号の説明】
ＮＥ１〜ＮＥ４  伝送装置
１  伝送装置
２  クロスコネクト機能部
３，４  高速インタフェース部（ＩＦ）
５  低速インタフェース部（ＩＦ）
６  通信機能部
７  パス管理データベース（ＤＢ）
８  パス判定部
９  張替判定部
【図１】
0004574049.tif 000002
【図２】
0004574049.tif 000003
【図３】
0004574049.tif 000004
【図４】
0004574049.tif 000005
【図５】
0004574049.tif 000006
【図６】
0004574049.tif 000007
【図７】
0004574049.tif 000008
【図８】
0004574049.tif 000009
【図９】
0004574049.tif 000010
【図１０】
0004574049.tif 000011
【図１１】
0004574049.tif 000012
【図１２】
0004574049.tif 000013
【図１３】
0004574049.tif 000014
【図１４】
0004574049.tif 000015
【図１５】
0004574049.tif 000016
【図１６】
0004574049.tif 000017
【図１７】
0004574049.tif 000018
【図１８】
0004574049.tif 000019